(57)【特許請求の範囲】
【請求項１】
光源に電力を供給して点灯する電源部と、前記電源部を制御して前記光源を点灯及び消灯する制御部と、外光の入射光量に対応した電気量を有する第１検出信号を出力する第１光電変換部と、前記光源から放射される光の入射光量に対応した電気量を有する第２検出信号を出力する第２光電変換部とを備え、
前記制御部は、前記第１検出信号の電気量を第１閾値及び第２閾値と比較し、前記第１検出信号の電気量が前記第１閾値を下回った場合に前記電源部を制御して前記光源を点灯し、前記第１検出信号の電気量が前記第２閾値を上回った場合に前記電源部を制御して前記光源を消灯するように構成され、
前記第２閾値は、前記第１閾値よりも高い値とされ、
前記制御部は、前記第２検出信号の電気量に応じて、前記第２閾値を変更することを特徴とする点灯装置。
【請求項２】
前記第２光電変換部は、前記光源から放射される光が入射する場所に配置されていることを特徴とする請求項１記載の点灯装置。
【請求項３】
前記第２光電変換部は、前記光源が実装されている基板に配置されていることを特徴とする請求項２記載の点灯装置。
【請求項４】
請求項１〜３のいずれか１項に記載の点灯装置と、前記点灯装置によって点灯させられる光源と、前記光源を支持する器具本体とを備えたことを特徴とする照明器具。
【発明の詳細な説明】
【技術分野】
【０００１】
本発明は、点灯装置および照明器具に関する。
【背景技術】
【０００２】
従来例として、特許文献１記載の照明装置を例示する。特許文献１記載の照明装置は、複数のＬＥＤ素子を有する発光モジュールと、発光モジュールに給電する電源部と、発光モジュールに設けられている照度センサとを有している。電源部は、入力電圧を電圧変換して発光モジュールに出力する電源電圧変換部と、照度センサの検出値を閾値と比較した比較結果に応じて電源電圧変換部を制御する制御部とを有している。制御部は、発光モジュールの消灯時と点灯時とで異なる閾値を具備している。消灯時の閾値は、発光モジュールの光が照度センサに入射して検出値が高くなる検出値の上昇分だけ、点灯時の閾値よりも高くなるように設定されている。
【０００３】
特許文献１記載の従来例は、発光モジュールの光が照度センサによる検出に影響する場合でも、発光モジュールの点灯および消灯を正常に制御可能としている。
【先行技術文献】
【特許文献】
【０００４】
【特許文献１】特開２０１３−２０１０１０号公報
【発明の概要】
【発明が解決しようとする課題】
【０００５】
ところで、特許文献１記載の従来例において、閾値は、照明装置の種類毎に測定や計算によって求められ、制御部が有する記憶部のテーブルに予め設定されている。しかしながら、発光モジュールから放射される光のうち、照度センサに入射する光の量は、発光モジュールの光量のばらつきや温度特性などの要因によって変化する場合がある。そのため、特許文献１記載の従来例の構成だけでは、発光モジュールから放射される光に起因した誤動作を防止することが困難であった。
【０００６】
本発明の目的は、光源の光量のばらつきなどの要因に関わらず、誤動作の抑制を図ることができる点灯装置及び照明器具を提供することである。
【課題を解決するための手段】
【０００７】
本発明の一態様に係る点灯装置は、光源に電力を供給して点灯する電源部と、前記電源部を制御して前記光源を点灯及び消灯する制御部とを備えている。また、点灯装置は、外光の入射光量に対応した電気量を有する第１検出信号を出力する第１光電変換部と、前記光源から放射される光の入射光量に対応した電気量を有する第２検出信号を出力する第２光電変換部とを備えている。前記制御部は、前記第１検出信号の電気量を第１閾値及び第２閾値と比較するように構成されている。前記制御部は、前記第１検出信号の電気量が前記第１閾値を下回った場合に前記電源部を制御して前記光源を点灯し、前記第１検出信号の電気量が前記第２閾値を上回った場合に前記電源部を制御して前記光源を消灯するように構成されている。前記第２閾値は、前記第１閾値よりも高い値とされている。前記制御部は、前記第２検出信号の電気量に応じて、前記第２閾値を変更する。
【０００８】
本発明の一態様に係る照明器具は、前記点灯装置と、前記点灯装置によって点灯させられる光源と、前記光源を支持する器具本体とを備えている。
【発明の効果】
【０００９】
本発明の点灯装置及び照明器具は、光源の光量のばらつきなどの要因に関わらず、誤動作の抑制を図ることができるという効果がある。
【図面の簡単な説明】
【００１０】
【図１】図１は、本発明の一実施形態に係る点灯装置の回路図である。
【図２】図２は、本発明の一実施形態に係る照明器具の斜視図である。
【図３】図３は、同上の照明器具の正面図である。
【図４】図４Ａ及び図４Ｂは、同上の点灯装置及び照明器具の動作説明用のタイムチャートである。
【発明を実施するための形態】
【００１１】
以下、本発明の一実施形態に係る点灯装置１及び照明器具８について、図面を参照して詳細に説明する。本実施形態に係る点灯装置１は、周囲の明るさに応じて光源を点滅する点灯装置である。また、本実施形態に係る照明器具８は、点灯装置１を備えた照明器具である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本実施形態に係る点灯装置１は、図１に示すように、光源２に電力を供給して点灯する電源部１０と、電源部１０を制御して光源２を点灯及び消灯する制御部１１とを備えている。また、本実施形態に係る点灯装置１は、入射光量に対応した電気量を有する第１検出信号Ｖｘ１を出力する第１光電変換部１４と、入射光量に対応した電気量を有する第２検出信号Ｖｘ２を出力する第２光電変換部１５とを備えている。さらに、本実施形態に係る点灯装置１（以下、点灯装置１と略す）は、制御電源回路１６を備えることが好ましい。
【００１３】
光源２は、複数個（図示は３個のみ）のＬＥＤ（発光ダイオード）２０の直列回路で構成されることが好ましい。ただし、光源２を構成するＬＥＤ２０の個数は３個に限定されず、１〜２個又は４個以上であってもよい。また、光源２は、有機エレクトロルミネッセンス素子やレーザーダイオード、あるいは蛍光ランプなどの放電ランプで構成されていてもよい。
【００１４】
電源部１０は、一対の入力端子１００Ａ、１００Ｂと、一対の出力端子１０１Ａ、１０１Ｂとを有している。一対の入力端子１００Ａ、１００Ｂは、交流電源４と電気的に接続されて交流電圧が入力されている。電源部１０は、例えば、力率改善回路と、降圧チョッパ回路と、電源制御回路とを有することが好ましい。力率改善回路は、入力端子１００Ａ、１００Ｂから入力される交流電圧を、交流電圧のピーク値よりも高い電圧値を有する直流電圧に変換する。降圧チョッパ回路は、力率改善回路から出力される直流電圧の電圧値を、光源２の定格電圧以下の電圧値に降圧する。降圧チョッパ回路で降圧された直流電圧は、一対の出力端子１０１Ａ、１０１Ｂから光源２に出力される。光源２は、電源部１０から直流電圧が印加されることで点灯する。なお、電源制御回路は、力率改善回路を構成する半導体スイッチング素子をスイッチング制御して力率改善回路の出力電圧を定電圧化している。また、電源制御回路は、降圧チョッパ回路を構成する半導体スイッチング素子をスイッチング制御して光源２に流す電流を定電流化している。ただし、電源部１０は、必ずしも力率改善回路を備えていなくてもよい。
【００１５】
制御電源回路１６は、交流電源４から抵抗Ｒ２を介して供給される交流電圧を、５［Ｖ］〜３．３［Ｖ］程度の直流の制御電圧Ｖccに変換している。このような制御電源回路１６は、例えば、シリーズレギュレータやスイッチングレギュレータで構成されることが好ましい。
【００１６】
第１光電変換部１４は、例えば、フォトダイオード１４０と、抵抗１４１とを有している。フォトダイオード１４０のアノードが制御電源回路１６の出力端子と電気的に接続されている。また、フォトダイオード１４０のカソードが抵抗１４１の一端と電気的に接続されている。さらに、抵抗１４１の他端がグランドに電気的に接続されている。フォトダイオード１４０は、入射光量が多いほど多くの直流電流を抵抗１４１に流す。抵抗１４１は、フォトダイオード１４０を介して供給される直流電流を直流電圧に変換する。つまり、第１光電変換部１４は、入射光量に対応した電気量（直流電圧）を有する第１検出信号Ｖｘ１を出力するように構成されている。
【００１７】
第２光電変換部１５は、例えば、フォトダイオード１５０と、第１抵抗１５１と、第２抵抗１５２と、ダイオード１５３とを有している。フォトダイオード１５０のアノードが制御電源回路１６の出力端子と電気的に接続されている。また、フォトダイオード１５０のカソードが第１抵抗１５１の一端と電気的に接続されている。さらに、第１抵抗１５１の他端がグランドに電気的に接続されている。第２抵抗１５２の一端がフォトダイオード１５０のカソードと電気的に接続されている。第２抵抗１５２の他端がダイオード１５３のアノードと電気的に接続されている。フォトダイオード１５０は、入射光量が多いほど多くの直流電流を第１抵抗１５１に流す。第１抵抗１５１は、フォトダイオード１５０を介して供給される直流電流を直流電圧に変換する。つまり、第２光電変換部１５は、入射光量に対応した電気量（電圧値）を有する第２検出信号Ｖｘ２を、第２抵抗１５２及びダイオード１５３を介して出力するように構成されている。
【００１８】
制御部１１は、比較器１１０、スイッチ素子１１１、抵抗Ｒ３〜Ｒ５などを有することが好ましい。比較器１１０のマイナスの入力端子に、第１光電変換部１４の第１検出信号Ｖｘ１が入力されている。比較器１１０のプラスの入力端子が、３つの抵抗Ｒ３〜Ｒ５のそれぞれの一端と電気的に接続されている。抵抗Ｒ３の他端が制御電源回路１６の出力端子と電気的に接続されている。比較器１１０は、制御電源回路１６から供給される制御電圧Ｖccで動作する。スイッチ素子１１１は、ＮＰＮ型のバイポーラトランジスタである。スイッチ素子１１１のベースが比較器１１０の出力端子と電気的に接続されている。スイッチ素子１１１のエミッタが抵抗Ｒ４の他端及びグランドに電気的に接続されている。スイッチ素子１１１のコレクタが抵抗Ｒ５の他端と電気的に接続されている。また、スイッチ素子１１１のコレクタは、電源部１０の制御端子１０２と電気的に接続されている。
【００１９】
比較器１１０は、マイナスの入力端子に入力される第１検出信号Ｖｘ１の電圧と、プラスの入力端子に入力される閾値とを比較する。比較器１１０は、第１検出信号Ｖｘ１の電圧値が閾値未満のときに出力をハイレベルとし、第１検出信号Ｖｘ１の電圧値が閾値以上のときに出力をローレベルとする。スイッチ素子１１１は、比較器１１０の出力がハイレベルのときにオンし、比較器１１０の出力がローレベルのときにオフする。ただし、比較器１１０のプラスの入力端子に入力される閾値は、スイッチ素子１１１がオフの場合は、制御電圧Ｖccを抵抗Ｒ３と抵抗Ｒ４で分圧した値となる。一方、スイッチ素子１１１がオンの場合、閾値は、制御電圧Ｖccを抵抗Ｒ３と抵抗Ｒ５で分圧した値にほぼ一致する。ここで、抵抗Ｒ５の抵抗値が抵抗Ｒ４の抵抗値よりも十分に小さければ、スイッチ素子１１１がオンの場合の閾値（第１閾値ＶＴ１）は、スイッチ素子１１１がオフの場合の閾値（第２閾値ＶＴ２）よりも十分に小さくなる。つまり、比較器１１０のプラスの入力端子に入力される閾値は、ヒステリシスを有している。
【００２０】
スイッチ素子１１１がオフしている場合、電源部１０の制御端子１０２は、抵抗Ｒ５を介してハイレベルに維持されている。一方、スイッチ素子１１１がオンしている場合、電源部１０の制御端子１０２は、スイッチ素子１１１を介してローレベルに維持されている。電源部１０の電源制御回路は、制御端子１０２がハイレベルの場合は力率改善回路及び降圧チョッパ回路を動作させて光源２を点灯し、制御端子１０２がローレベルの場合は力率改善回路及び降圧チョッパ回路を停止させて光源２を消灯する。
【００２１】
ここで、第２光電変換部１５のダイオード１５３のカソードが比較器１１０のプラスの入力端子と電気的に接続されている。つまり、第２光電変換部１５の第２検出信号Ｖｘ２が比較器１１０のプラスの入力端子に入力されている。ゆえに、比較器１１０のプラスの入力端子に入力される第２閾値ＶＴ２は、抵抗Ｒ３及び抵抗Ｒ４で制御電圧Ｖccを分圧した電圧値と、第２閾値ＶＴ２の電圧値とのうち、相対的に大きい方の電圧値と一致する。つまり、第２閾値ＶＴ２は、第２光電変換部１５の第２検出信号Ｖｘ２の電圧値が上昇するにつれて、上昇することになる。
【００２２】
本実施形態に係る照明器具８は、いわゆる防犯灯であり、図２に示すように、地面に立てられる支柱５０（電力柱または鋼管ポール）もしくは建物の外壁などに取り付けられることが好ましい。ただし、本実施形態の照明器具８は防犯灯に限定されず、防犯灯以外の照明器具、例えば、道路灯や街路灯などであっても構わない。
【００２３】
照明器具８は、器具本体８０、グローブ８１、アーム８２などを有することが好ましい。器具本体８０は、合成樹脂により、下面が開口した長尺の矩形箱状に形成されることが好ましい。グローブ８１は、透光性を有する合成樹脂（たとえば、アクリル樹脂）により、半円筒状に形成されることが好ましい。グローブ８１は、長手方向の一端部（図２における上端部）に一対のヒンジ部８１０が設けられる。一対のヒンジ部８１０は、半円筒状に形成され、器具本体８０の長手方向の一端部（図２における上端部）に設けられる一対の軸に引っ掛けられる。つまり、グローブ８１は、器具本体８０の下面開口を塞ぐ閉位置（図２参照）と、器具本体８０の下面開口を開放する開位置との間で回転可能に器具本体８０に取り付けられる。ただし、グローブ８１の長手方向の他端部（図２における下端部）には、閉位置のグローブ８１を器具本体８０にねじ止めするためのねじが取り付けられている。
【００２４】
アーム８２は、固定部８２１を有することが好ましい。固定部８２１は、長尺の矩形平板状に形成される固定板８２１０と、固定板８２１０の長手方向に沿った両端縁から厚み方向に立ち上がる一対の側壁８２１１とを有することが好ましい。
【００２５】
固定部８２１の固定板８２１０は、だるま孔からなる第１ねじ挿通孔８２１２と、丸孔からなる第２ねじ挿通孔と、半円形のねじ挿通溝とを有することが好ましい。また、固定部８２１の一対の側壁８２１１には、矩形の挿通孔８２１５がそれぞれ設けられることが好ましい。
【００２６】
点灯装置１及び光源２は、図３に示すように、器具本体８０内に収容されている。点灯装置１は、器具本体８０内の先端寄り（上寄り）の位置に配置されることが好ましい。また、第１光電変換部１４は、光源２から放射される光が入射し難く、かつ、外光が入射し易い場所、例えば、器具本体８０内の先端（上端）の近くに配置されることが好ましい（図２及び図３参照）。
【００２７】
光源２を構成する８個のＬＥＤ２０は、図３に示すように、８個のレンズ２１とともに基板２２の表面（下面）に実装されている。基板２２は、長尺の矩形板状に形成されている。８個のＬＥＤ２０のうちの４個のＬＥＤ２０が基板２２の片側（図３における左側）に寄せて一列に並べて実装されている。また、８個のＬＥＤ２０のうちの残り４個のＬＥＤ２０が基板２２のもう片側（図３における右側）に寄せて一列に並べて実装されている。８個のレンズ２１は、８個のＬＥＤ２０と１対１に対応して基板２２に実装されている。つまり、８個のＬＥＤ２０から放射される光は、それぞれ８個のレンズ２１に配光制御され、グローブ８１を透過して空間に照射される。ここで、第２光電変換部１５は、光源２から放射される光が入射し易い場所、例えば、図３に示すように、基板２２の表面に実装されることが好ましい。すなわち、基板２２の表面における右側の先端のＬＥＤ２０の上に、フォトダイオード１５０と、チップ抵抗からなる２つの抵抗１５１、１５２と、チップ型のダイオード１５３とが実装されている。したがって、第２光電変換部１５のフォトダイオード１５０には、主として光源２（のＬＥＤ２０）から放射される光が入射することになる。このように第２光電変換部１５が基板２２の表面に実装されれば、基板２２の空きスペースを有効利用することができる。なお、点灯装置１がプリント回路で構成される場合、点灯装置１のプリント基板に、ＬＥＤ２０及び第２光電変換部１５が実装されてもよい。
【００２８】
図２に示すように、アーム８２の固定部８２１は、取付金具９を介して支柱５０に固定される。取付金具９は、鋼板などの板材により、矩形平板状の取付板９０と、取付板９０の長手方向に沿った両端縁から厚み方向に立ち上がる一対の側板９１とを有する角樋状に形成されることが好ましい。取付板９０には、３つのねじ孔が設けられることが好ましい。また、各側板９１には、矩形の取付孔９１０がそれぞれ設けられることが好ましい。
【００２９】
続いて、照明器具８の施工手順を説明する。まず、施工作業を行う作業者は、各側板９１の取付孔９１０に挿通した取付バンド９２を支柱５０に巻回すことで取付金具９を支柱５０に固定する。続いて、作業者は、取付金具９の前方からアーム８２の固定部８２１を被せる。それから、作業者は、固定部８２１の第１ねじ挿通孔８２１２、第２ねじ挿通孔、ねじ挿通溝の各々に挿通した３本のねじ９３、９４、９５を、取付金具９の取付板９０の３つのねじ孔の各々にねじ込む。このように本実施形態の照明器具８は、取付金具９を介して支柱５０に取り付けられる。ただし、アーム８２の固定部８２１に設けられる挿通孔８２１５に取付バンド９２を挿通し、取付金具９を用いずに固定部８２１を直接支柱５０に固定することも可能である。
【００３０】
次に、図４Ａ及び図４Ｂのタイムチャートを参照して、点灯装置１の動作を説明する。図４Ａ及び図４Ｂの横軸は時間ｔを表し、図４Ａ及び図４Ｂの縦軸は電圧を表している。また、図４Ａ及び図４Ｂにおける実線は、それぞれ第１光電変換部１４から出力される第１検出信号Ｖｘ１の電圧値を示している。
【００３１】
第１検出信号Ｖｘ１の電圧値は、日の入り時刻に近付くにつれて徐々に低下する。そして、検出信号Ｖｘの電圧値が第１閾値ＶＴ１を下回ると（時間ｔ＝ｔ１）、比較器１１０の出力がハイレベルからローレベルに変化してスイッチ素子１１１がオフする。スイッチ素子１１１がオフすれば、電源部１０の電源制御回路が力率改善回路及び降圧チョッパ回路を動作させて光源２を点灯する。また、スイッチ素子１１１がオンすると、比較器１１０のプラスの入力端子に入力される閾値が、第１閾値ＶＴ１から第２閾値ＶＴ２（ＶＴ２０）に上昇する（図４Ａ参照）。
【００３２】
ここで、光源２を構成するＬＥＤ２０の光量には、個々のＬＥＤ２０の個体差や温度特性などに起因したばらつきがある。そして、光源２の光量（８個のＬＥＤ２０の光量の合計）が、標準的な光量よりも十分に大きい光量である場合、光源２から放射される光のうちで第１光電変換部１４のフォトダイオード１４０に入射する光量も大きくなる。フォトダイオード１４０の入射光量が上昇すると、第１光電変換部１４から出力される第１検出信号Ｖｘ１の電圧値も上昇する。その結果、第１検出信号Ｖｘ１の電圧値が第２閾値ＶＴ２（ＶＴ２０）を上回ってしまうと、比較器１１０の出力がローレベルからハイレベルに変化してスイッチ素子１１１がオンする。スイッチ素子１１１がオンすれば、電源部１０の電源制御回路が力率改善回路及び降圧チョッパ回路を停止させて光源２を消灯する。また、スイッチ素子１１１がオフすると、比較器１１０のプラスの入力端子に入力される閾値が、第２閾値ＶＴ２（ＶＴ２０）から第１閾値ＶＴ１に下降する。
【００３３】
しかしながら、光源２が消灯すると、フォトダイオード１４０の入射光量が減少するために第１検出信号Ｖｘ１の電圧値が下降する。そして、第１検出信号Ｖｘ１の電圧値が第１閾値ＶＴ１を下回ると、再び電源部１０の電源制御回路が力率改善回路及び降圧チョッパ回路を動作させて光源２を点灯する。このように、光源２から放射される光のうちで第１光電変換部１４のフォトダイオード１４０に入射する光量が大きい場合、光源２が点滅を繰り返してしまう可能性がある。
【００３４】
そこで、本実施形態における制御部１１は、図４Ｂに示すように、光源２が点灯しているときに第２光電変換部１５から出力される第２検出信号Ｖｘ２の電圧値が上昇するにつれて、第２閾値ＶＴ２（ＶＴ２０）をＶＴ２１に上昇させる（時間ｔ＝ｔ１）。その結果、光源２が点灯して第１検出信号Ｖｘ１の電圧値が上昇しても第２閾値ＶＴ２１を上回らないので、制御部１１が電源部１０を制御して光源２を消灯することがない（図４Ｂ参照）。ゆえに、点灯装置１は、光源の光量のばらつきなどの要因に関わらず、光源２の点滅を繰り返すという誤動作の抑制を図ることができる。
【００３５】
図４Ａ及び図４Ｂに示すように、第１検出信号Ｖｘ１の電圧値は、日の出時刻に近付くにつれて徐々に上昇する。そして、第１検出信号Ｖｘ１の電圧値が第２閾値ＶＴ２（ＶＴ２０又はＶＴ２１）を上回ると（時間ｔ＝ｔ２）、比較器１１０の出力がローレベルからハイレベルに変化してスイッチ素子１１１がオフする。スイッチ素子１１１がオフすれば、電源部１０の電源制御回路が力率改善回路及び降圧チョッパ回路を停止させて光源２を消灯する。また、スイッチ素子１１１がオフすると、比較器１１０のプラスの入力端子に入力される閾値が、第２閾値ＶＴ２から第１閾値ＶＴ１に下降する。
【００３６】
上述のように点灯装置１は、光源２に電力を供給して点灯する電源部１０と、電源部１０を制御して光源２を点灯及び消灯する制御部１１とを備えている。点灯装置１は、外光の入射光量に対応した電気量を有する第１検出信号Ｖｘ１を出力する第１光電変換部１４と、光源２から放射される光の入射光量に対応した電気量を有する第２検出信号Ｖｘ２を出力する第２光電変換部１５とを備えている。制御部１１は、第１検出信号Ｖｘ１の電気量（電圧値）を第１閾値ＶＴ１及び第２閾値ＶＴ２と比較し、第１検出信号Ｖｘ１の電気量が第１閾値ＶＴ１を下回った場合に電源部１０を制御して光源２を点灯するように構成されている。制御部１１は、第１検出信号Ｖｘ１の電気量が第２閾値ＶＴ２を上回った場合に電源部１０を制御して光源２を消灯するように構成されている。第２閾値ＶＴ２は、第１閾値ＶＴ１よりも高い値とされている。制御部１１は、第２検出信号Ｖｘ２の電気量（電圧値）に応じて、第２閾値ＶＴ２を変更するように構成されている。
【００３７】
点灯装置１が上述のように構成されれば、第２光電変換部１５の第２検出信号Ｖｘ２の電気量（電圧値）に応じて、第２閾値ＶＴ２が変更されるため、光源２の光量のばらつきなどの要因に関わらず、光源２の点滅を繰り返すという誤動作の抑制を図ることができる。
【００３８】
また、点灯装置１において、第２光電変換部１５は、光源２から放射される光が入射する場所に配置されていることが好ましい。
【００３９】
点灯装置１が上述のように構成されれば、第２光電変換部１５によって光源２の光量を容易に検出することができる。
【００４０】
さらに、点灯装置１において、第２光電変換部１５は、光源２が実装されている基板２２に配置されていることが好ましい。
【００４１】
点灯装置１が上述のように構成されれば、基板２２の空きスペースを有効利用することができる。
【００４２】
また、照明器具８は上述のように、点灯装置１と、点灯装置１によって点灯させられる光源２と、光源２を支持する器具本体８０とを備えている。
【００４３】
照明器具８が上述のように構成されれば、光源２の光量のばらつきなどの要因に関わらず、光源２の点滅を繰り返すという誤動作の抑制を図ることができる。
【符号の説明】
【００４４】
１  点灯装置
２  光源
８  照明器具
１０  電源部
１１  制御部
１４  第１光電変換部
１５  第２光電変換部
２２  基板
８０  器具本体
Ｖｘ１  第１検出信号
Ｖｘ２  第２検出信号
ＶＴ１  第１閾値
ＶＴ２  第２閾値
【図１】
0006611045.tif 000002
【図２】
0006611045.tif 000003
【図３】
0006611045.tif 000004
【図４】
0006611045.tif 000005